(57)【要約】【解決】  宅配業者が有する地域に根付いた宅配インフラ網を活用する事で、その特定宅配業者の有する特定地域に、広告を配布したい第三者たる広告主がその地域を管轄する宅配業者をインターネット経由にて指定出来る地域広告配信システムと、前記システム経由にて指名がある宅配業者がその有する顧客宅へ広告主の広告を配送する配布手段を提供する。【解決手段】  広告配布地域情報管理サーバー１０にタイアップした宅配業者２００の配送エリア領域２０のデータを蓄積し、広告主１００は前記サーバー１０に登録された配送エリアをブラウザー１５経由にて閲覧できる。広告主１００は所望する配送エリア２０を指定し、仲介業者５へ広告配布を依頼する。仲介業者５は主たる配送物２５０に付随して配送される従物たる広告配布手段４００を宅配業者２００へ付与し、宅配業者２００は主たる配送物２５０と共に広告配布手段４００とを主従の関係をもって目的地５００へ配送する。【選択図】        図１
2006023999.tif 000002
【特許請求の範囲】
【請求項１】
インターネット等の通信網を介して公募による不特定の一般広告主が、広告配信を希望する特定地域を仲介者が運営するインターネットのサイトにて所望する広告配信地域に宅配インフラを有する宅配業者を選択精査するブラウザー画面を提供する事により、希望する広告配信特定地域と宅配業者への連絡方法を入手できるサイトを提供する工程と；前記広告主が前記サイト画面より日本全土の中から配送可能な宅配業者を選択していく画面により目的地域の宅配業者を精査していく方法を提供する工程と；前記広告主と宅配業者とを仲介する事により地域密着型の広告配信手段を仲介する工程と；インターネット等の通信網の経由により広告主の広告内容を広告仲介業者が宅配業者の有するプリンター等の印刷装置へデジタル送付する方法と；ネットワークを通じて受け取ったデジタルの広告内容を宅配業者などの客体者が紙媒体へ出力しそれをもって自身の配送エリアへ主たる配送物と共に配送する工程と；を備えることを特徴とする地域広告配信システム。 
【請求項２】
宅配業者が日常業務において顧客宅へ配送する主たる配送物を主物とし、宅配する際に第三者の広告が掲載された取替えが簡易なチラシや名刺サイズ等の紙媒体と、それを挿入でき主物に附着する目的で準備された紙媒体ホルダーとを一体の従物とした手段の下で、広告配信を目的とした宅配業者による第三者広告物を配達する工程と；前記工程の主物たる配送物と従物の第三者の広告が記載された広告メディア媒体とを主従関係にて同時に配送する事で実現する広告配送の方法をインターネット経由にて仲介する工程と；前記広告媒体紙を名刺ホルダー等の防水効果並びに包装効果のあるホルダーを利用して、主物に付随しやすくなる技術を提供する工程と；前記工程により主物に対して従物が広告媒体紙である広告配送の手段とした工程と；を備えることを特徴とする広告の配布手
【発明の詳細な説明】
【技術分野】
【０００１】
本発明は、主たる商品の性質をわざわざ加工する事無く、商品を宅配する事を業とする宅配業者が有する宅配業務の宅配工程に係る作業工程の中に、特定地域のみに広告を安価にて配信したい広告主のニーズを一般通信網経由にてマッチングさせる手段としての広告配布手段を取り入れる方法を提供する事により、宅配業者とその有する既存地域顧客との間に相乗利益効果を見込める宅配プラットフォームを活用した地域広告配信システムと配布手段を、不特定の広告主と特定の宅配業者に提供する事、に関する。
【背景技術】
【０００２】
宅配を業とする宅配業者と広告を掲載したい広告主との間で簡易且つ安価に仲介を行うシステムが無い。欧米では牛乳パックやピザの箱等に広告や探し人などを記載して流通させているが、これを実現させるには商品メーカーや印刷業者に依頼しなければならず、そうすると費用面やメーカーとの交渉労力を考慮するととても広告を配信したい一般市民や中小企業には困難であるといいざるを得ないし、有名メーカーが自社の製品にある特定地域に関する広告を記載して全国に流通させるとは考えられない。
【０００３】
日本の現状では宅配業者と直接にコネクションのある者でないと宅配インフラを利用したチラシなどの広告配信は行えず、また依頼が出来たとしても宅配業者は簡易な広告配信システムや宅配インフラの利用に特化した広告仲介業者が存しない為、初期投資や業務都合の問題から一般的にチラシや新聞広告等の媒体紙配布に留まる事が多い。チラシによる広告配信の場合は、広告主が負担する初期投資が問題となり、資金・労力のある広告主でないと宅配業者による広告配信を行えないのが現状である。
【０００４】
特許文献として宅配用伝票広告（特許公開２００３-２２０４３）や広告機能を有する宅配依頼伝票（特許公開２００２-１７８６６７）があるが、これらは主に大手の宅配業者の宅配用伝票に広告を掲載するという技術であり、本発明とは根本を異にする。
【０００５】
また、広告主も広告を配信したいエリアに宅配業務を行っている宅配業者と連絡をとることも困難である。 
【０００６】
そして、直接に主たる商品に広告を掲載する方法ではその商品パッケージの品質を損なう恐れがある上に、商品パッケージを作成する段階で広告を印刷しなくてはならず、メーカーによる支配が強いため、一般広告主では非常に困難である。細分化された地域ごとに異なる広告主の異なる広告を配信する事も事実上困難である。
【特許文献１】特許公開２００３-２２０４３
【特許文献２】特許公開２００２-１７８６６７
【発明の開示】
【発明が解決しようとする課題】
【０００７】
本発明は、上述した欠点に鑑みてなされたものであり、その目的は特定地域に広告を簡易且つ安価に配信したい広告主と、広告主が所望する特定地域に宅配インフラを有している宅配業者へのインターネットを利用した広告仲介を提供する事により地域広告配信のシステムを広告主に提供する事と、それを実現させる手段として宅配業者の宅配業務工程に広告を配布する簡易な手段を仲介業者として提供する事により、広告主のニーズを叶えつつ宅配業者もその広告収入による利益を顧客に還元する事で顧客離れを抑制する効果に役立つと言った両者のニーズを合致させる事にある。 
【課題を解決するための手段】
【０００８】
請求項１に係る宅配プラットフォームを活用した地域広告配信システムは、インターネット等の通信網を介して公募による不特定の一般広告主が、広告配信を希望する特定地域を仲介者が運営するインターネットのサイトにて所望する広告配信地域に宅配インフラを有する宅配業者を選択精査するブラウザー画面を提供する事により、希望する広告配信特定地域と宅配業者への連絡方法を入手できるサイトを提供する工程と；前記広告主が前記サイト画面より日本全土の中から配送可能な宅配業者を選択していく画面により目的地域の宅配業者を精査していく方法を提供する工程と；前記広告主と宅配業者とを仲介する事により地域密着型の広告配信手段を仲介する工程と；インターネット等の通信網の経由により広告主の広告内容を広告仲介業者が宅配業者の有するプリンター等の印刷装置へデジタル送付する方法と；ネットワークを通じて受け取ったデジタルの広告内容を宅配業者などの客体者が紙媒体へ出力しそれをもって自身の配送エリアへ主たる配送物と共に配送する工程と、を備える。
【０００９】
請求項２に係る宅配プラットフォームを活用した地域広告配布手段は、宅配業者が日常業務において顧客宅へ配送する主たる配送物を主物とし、宅配する際に第三者の広告が掲載された取替えが簡易なチラシや名刺サイズ等の紙媒体と、それを挿入でき主物に附着する目的で準備された紙媒体ホルダーとを一体の従物とした手段の下で、広告配信を目的とした宅配業者による第三者広告物を配達する工程と；前記工程の主物たる配送物と従物の第三者の広告が記載された広告メディア媒体とを主従関係にて同時に配送する事で実現する広告配送の方法をインターネット経由にて仲介する工程と；前記広告媒体紙を名刺ホルダー等の防水効果並びに包装効果のあるホルダーを利用して、主物に付随しやすくなる技術を提供する工程と；前記工程により主物に対して従物が広告媒体紙である広告配送の手段とした工程と、を備える。
【発明の効果】
【００１０】
本発明によればまず広告主は本システム運営サイトの広告仲介業者を通じる事により、大規模な初期投資をする事無く、目的のある地域に対する効果的な広告手段を利用する事が出来る上に、安価且つ宅配業者が築いてきた顧客との信用の下で自己の広告を配信できる手段である。そして宅配業者は、大切な顧客に広告利益を還元することにより、主たる商品の販売価格を引き下げる事や広告媒体を利用した顧客に対する情報提供やマーケティング活動などの方策により、顧客離れに歯止めをかけるオプションを有する事が出来る。宅配業者と商品定期配送契約関係にある顧客にとっても、本商品に付随した新商品情報や近所の量販店やサービス業者（ここで云う広告主）からの広告カードが無料配布される事により、情報収集や広告主が展開するサービス券などの付加価値により利益を享受できる“三方良し”のシステムである。 
【実施例１】
【００１１】
以下、本発明の宅配プラットフォームを活用した地域広告配信システムと配布手段とを説明する。
広告主１００とは、一般企業や個人事業主などの自身のサービスを広告として告知したい広告主である。宅配業者２００とは、牛乳販売店、酒販店、米穀販売店、生協、百貨店、量販店、ピザや寿司などの特定食品商品販売店、クリーニング事業者などの商品・サービスを顧客自宅まで配送するサービスを提供する者である。広告配布地域情報管理サーバー１０とは、本発明を事業として実行する仲介者が有する各宅配業者の配送エリアをデータとして保管しているサーバーの事である。仲介業者５とは、本発明を実施運営する宅配業者２００と広告主１００とを仲介する者である。
配送エリア２０とは、宅配業者２００が宅配業務にて商品を自宅配送サービスを提供している宅配業者２００が有する配送テリトリーである。主たる配送物２５とは、宅配業者が宅配業務を行うに当たり、顧客との売買契約の下で自宅配送される、牛乳瓶や牛乳パック、ピザ、日常雑貨など、宅配業者が顧客目的地に向けての宅配に供される商品である。ブラウザー１５とは、本発明を業務としてサービスを行なう仲介業者５が運営するサイト上で広告配布地域情報管理サーバー１０と直結しており、それらのデータを表示する情報表示端末である。本発明を提案している仲介業者は、宅配インフラを有する宅配業者２００と業務提携の契約を行い広告配布地域情報管理サーバー１０へその宅配業者の事業詳細、配送エリア２０や本発明の説明に於ける主たる配送物２５の配達商品等の情報をブラウザー１５に掲載する。広告主１００はインターネットを経由して広告配布地域情報管理サーバー１０から所望の広告を配信してもらう宅配業者の配送エリア２０と宅配業者２００を選択し、仲介業者宛に広告の配信内容を予約する。
【００１２】
広告カード３００とは、図５のようにブラウザー１５を経て印刷された第三者たる広告主の広告文言が記載された文言記憶装置である。広告配布手段４００とは、図６のように広告が記載された紙媒体に対する防水効果をもって包装し、且つ主たる配送物と付随しやすい形状を有する一般企業で使われている名札ホルダーのようなホルダーに紐などで主たる商品に対する付随最適化を施した実用的合成装置である。コイン４１０とは広告カード３００と同様に、広告配布手段４００の中に挿入されるものである。
目的地５００とは、宅配業者とその顧客が商品配送の契約などを結んでいる商品到着地である。仲介業者と広告配布地域情報管理サーバー１０は、前記広告主からの広告配信内容から特定された宅配業者２００へその旨を通知すると同時に広告主１００の希望する広告が記載させる広告カード３００を準備し、宅配業者２００の主たる配送物２５０に付随して配送される従物たる広告配布手段４００を宅配業者２００へ付与する。宅配業者２００は準備された広告配布手段４００と広告カード３００を、日常で配送する主たる配送物２５０に付随して、図７のように目的地５００へ配送する事で、宅配業者２００が有する宅配インフラ上の顧客宅へ配布される。またコイン４１０を広告手段として配布する事も出来る。広告カード３００には、広告主１００が主催するイベントや商品の割引券としての効力を持たす事などで、目的地５００に居住する宅配事業者２００の顧客も、その広告カード３００を広告主１００が経営する店舗へ持参する事で利益を享受し得る。
【図面の簡単な説明】
【００１３】
【図１】図１は、本発明による宅配プラットフォームを活用した地域広告配信システムと配布手段を実施するための概略図である。
【図２】図２は、一般広告主が本発明によるインターネットを経由して所望の広告を配信してもらう宅配業者の配送エリアと宅配業者を選択する前提となる広告配信希望都市の選択を示す日本の広域地図を表示した仲介業者５が運営するブラウザー１５内のサンプル画面である。
【図３】図３は、希望する広告配信特定地域をインターネットのサイトにてそのエリアに宅配インフラを有する宅配業者を広域地図に続き、選択精査できる広告配信可能エリア選択を表示した仲介業者５が運営するブラウザー１５内のサンプル画面である。
【図４】図４は、選択した広告配信特定地域を担当しているエリアに複数の広告配信可能弊社提携宅配店がある場合や、広告の特性により宅配業者を選択する時などに表示される仲介業者５が運営するブラウザー１５内のサンプル画面である。ここで希望する広告を配送する宅配店を選択できる。
【図５】図５は、選択した広告配信特定地域を担当しているエリア広告配信可能弊社提携宅配店の情報を表示し、且つ配布する広告の内容を広告主が直接記入できる仲介業者５が運営するブラウザー１５内のサンプル画面であり、配信を行うアクションを行う事で図のように将来的に広告カード３００に反映される。
【図６】図６は、本発明による宅配プラットフォームを活用した地域広告配信システムにおける配布手段の広告配布手段４００を実施するための概略図である。広告カード３００が広告配布手段４００の中に個別に挿入され配布される為の手段である。主物附着手段４２０により、主物たる主たる配送物２５０と附着・装着される。主物附着手段４２０は紐・輪ゴム・金属・プラスチック製品などで、主たる配送物２５０と広告配布手段４００を結合するものである。広告配布手段４００にコイン４１０を挿入し個別に配布する手段も有する。広告配布手段４００が有するポケット口により広告カード３００もコイン４１０も出し入れ自在である事を特徴とする。
【図７】図７は本発明による宅配プラットフォームを活用した地域広告配信システムにおける配布手段の広告カード３００を実施するための概略図である。図５における、広告配信依頼希望広告内容記入欄が反映された広告文言が記載される。また広告文言だけではなく、クーポン券や商品引換券としてのサービス証書としての文言も広告主の希望により記載され、時代のテクノロジーに応じQRコード（二次元バーコード、二次元コード）などのコードが記載される場合もある。
【図８】図８は、本発明による宅配プラットフォームを活用した地域広告配信システムにおける配布手段の部分を実施するための概略図６の広告配布手段４００を、広告カード３００と主たる配送物２５０との組み合わせで表現し、宅配業者２００がその目的地５００へ宅配する工程を示した図である。本図では発明の説明を促す為にそれぞれ牛乳瓶・牛乳パック、そして宅配ピザケース・クリーニング衣服・飲料ペットボトルを利用した表現を列挙している。
【符号の説明】
【００１４】
５；仲介業者
１０；広告配布地域情報管理サーバー
１５；ブラウザー
２０；配送エリア領域
１００；広告主
２００；宅配業者
２５０；主たる配送物
３００；広告カード
４００；広告配布手段
４１０；コイン
４２０；主物附着手段
４５０；印刷装置
５００；目的地
【図１】
2006023999.tif 000003
【図２】
2006023999.tif 000004
【図３】
2006023999.tif 000005
【図４】
2006023999.tif 000006
【図５】
2006023999.tif 000007
【図６】
2006023999.tif 000008
【図７】
2006023999.tif 000009
【図８】
2006023999.tif 000010